(57)【要約】【課題】釣り人の脇の下が痛くならないで釣り竿を保持することができ、かつ、腹当てを腹にあてがっても痛くならずに魚とやり取りすることができる釣り竿を提供すること。【解決手段】元竿本体上には、腹当て部材１１が取り付けられている。腹当て部材１１よりも先端側には、脇当て部材１２が設けられている。脇当て部材１２よりも先端側には、リアグリップ１３が設けられている。リアグリップ１３の先端側の端部には、リール脚の後端部を固定する固定フード１４が設けられている。固定フード１４の先端側には、固定フード１４から所定の間隔をおいてリール脚の先端部を固定する移動フード１５が設けられている。移動フード１５には、締付ナット１６が取り付けられている。移動フード１５よりも先端側は、ジョイントナット１９により竿が着脱可能になっており、その着脱可能な竿の基端部側にはフロントグリップ１８が設けられている。【選択図】図１
2006034198.tif 000002
【特許請求の範囲】
【請求項１】
元竿を備えた釣り竿であって、基端部を有する元竿本体と、前記元竿本体の前記基端部に取り付けられた竿尻部材と、前記元竿本体における前記竿尻部材よりも先端側の領域に周設され、柔軟性材料で構成された脇当て部材と、を具備することを特徴とする釣り竿。
【請求項２】
前記脇当て部材は、前記元竿本体の軸方向における長さが約２５ｍｍ〜約１００ｍｍの範囲内であり、前記長さ方向における中央部が最も膨出しており、前記中央部から前記基端部側及び前記先端側に向ってそれぞれ縮径する形状を有することを特徴とする請求項１記載の釣り竿。
【請求項３】
前記脇当て部材の最も膨出している部分が、前記元竿本体に装着されるリール固定フード開口端よりも前記基端部側に約２２０ｍｍ〜約２６０ｍｍの範囲内に位置することを特徴とする請求項１又は請求項２記載の釣り竿。
【請求項４】
前記竿尻部材には、柔軟性材料で構成された腹当て部材が着脱自在に装着されており、前記腹当て部材は、後端部に平坦部又は凹部を有することを特徴とする請求項１から請求項３のいずれかに記載の釣り竿。
【請求項５】
前記腹当て部材の最大外径部は、横断面が略円形状であり、約６０ｍｍ〜約９０ｍｍの外径を有することを特徴とする請求項４記載の釣り竿。
【請求項６】
前記脇当て部材の前記基端部側の端部の外径は、前記腹当て部材の先端側の端部の外径に対して少なくとも１０％の径差の範囲内になるように設定されていることを特徴とする請求項４又は請求項５記載の釣り竿。
【請求項７】
前記脇当て部材は、横断面が略楕円形状を有する部分を少なくとも一つ有することを特徴とする請求項１から請求項３、及び請求項６のいずれかに記載の釣り竿。
【請求項８】
前記腹当て部材は、前記脇当て部材を覆う重なり部を有することを特徴とする請求項４から請求項７のいずれかに記載の釣り竿。
【発明の詳細な説明】
【技術分野】
【０００１】
本発明は釣り竿に関し、比較的大物の魚を釣る際に使用される釣り竿に関する。
【背景技術】
【０００２】
従来から、約１０ｋｇ以上の大物の魚を釣る際の釣り竿には、釣り竿本体の後端部に腹当て部材が設けられており、魚が掛かった際に、釣り人はその後端部の腹当て部材を腹に当てて魚とのやり取りをする。
【０００３】
【特許文献１】実開平２−１１３９６７号公報
【発明の開示】
【発明が解決しようとする課題】
【０００４】
しかしながら、従来の釣り竿に取り付けられている腹当ては、後端部（釣り人の腹に当接する部分）が凸部形状を有しており、魚とのやり取りの間に釣り竿の角度が変わると釣り人の腹が痛くなるという問題がある。
【０００５】
また、約５ｋｇ程度の中物とやり取りする場合には、釣り人は釣り竿の後端部を腹に当てないで、釣り竿を脇の下に挟んでやり取りすることがある。この場合、従来の釣り竿は、脇の下に挟む部分が硬質のため、釣り竿を脇の下に挟んで魚とやり取りしようとすると脇の下が痛くなってしまうという問題がある。
【０００６】
本発明はかかる点に鑑みてなされたものであり、釣り人の脇の下が痛くならないで釣り竿を保持することができ、かつ、腹当てを腹にあてがっても痛くならずに魚とやり取りすることができる釣り竿を提供することを目的とする。
【課題を解決するための手段】
【０００７】
本発明の釣り竿は、元竿を備えた釣り竿であって、基端部を有する元竿本体と、前記元竿本体の前記基端部に取り付けられた竿尻部材と、前記元竿本体における前記竿尻部材よりも先端側の領域に周設され、柔軟性材料で構成された脇当て部材と、を具備することを特徴とする。
【０００８】
この構成によれば、元竿本体における竿尻部材よりも先端側の領域に周設され、柔軟性材料で構成された脇当て部材を備えるので、対象魚が中物で腹当て部材を装着しない状態や、腹当て部材を外した状態で、釣り竿を脇の下に挟んでも脇の下が痛くならないで釣り竿を保持することができ、魚とやり取りすることができる。
【０００９】
本発明の釣り竿においては、前記脇当て部材は、前記元竿本体の軸方向における長さが約２５ｍｍ〜約１００ｍｍの範囲内であり、前記長さ方向における中央部が最も膨出しており、前記中央部から前記基端部側及び前記先端側に向ってそれぞれ縮径する形状を有することが好ましい。
【００１０】
この構成によれば、釣り人が釣り竿を脇の下に挟む場合に、脇の下の幅内に脇当て部材が収まって挟み易くなり、釣り竿を挟んだ状態で釣り竿が前後に動き難く安定して魚とやり取りすることができる。
【００１１】
本発明の釣り竿においては、前記脇当て部材の最も膨出している部分が、前記元竿本体に装着されるリール固定フード開口端よりも前記基端部側に約２２０ｍｍ〜約２６０ｍｍの範囲内に位置することが好ましい。
【００１２】
この構成によれば、釣り人が釣り竿の前記脇当て部材を脇の下に挟んだときに、リールを保持する手の位置が適当であり、安定して魚とやり取りすることができる。
【００１３】
本発明の釣り竿においては、前記竿尻部材には、柔軟性材料で構成された腹当て部材が着脱自在に装着されており、前記腹当て部材は、後端部に平坦部又は凹部を有することが好ましい。
【００１４】
この構成によれば、比較的大物が掛かったときに腹当て部材を速やかに取り付けることが可能となる。また、腹当て部材は、後端部に平坦部又は凹部を有するので、釣り人が腹当て部を腹に当てたときに、腹当て部材の周縁部に圧力が分散されて釣り人の腹が痛まずに魚とやり取りを行うことが可能となる。
【００１５】
本発明の釣り竿においては、前記腹当て部材の最大外径部は、横断面が略円形状であり、約６０ｍｍ〜約９０ｍｍの外径を有することが好ましい。
【００１６】
この構成によれば、釣り人が腹当て部材を腹に当てたときに、釣り竿の角度が変わっても釣り竿を腹に当てた状態で魚とやり取りすることができる。
【００１７】
本発明の釣り竿においては、前記脇当て部材の前記基端部側の端部の外径は、前記腹当て部材の先端側の端部の外径に対して少なくとも１０％の径差の範囲内になるように設定されていることが好ましい。
【００１８】
この構成によれば、腹当て部材と脇当て部材との間の段差が小さくなるので、釣り人が釣り竿を脇の下に挟んだ際に違和感なく釣り竿を構えることができ、確実に釣り竿を保持することができる。
【００１９】
本発明の釣り竿においては、前記脇当て部材は、横断面が略楕円形状を有する部分を少なくとも一つ有することが好ましい。
【００２０】
この構成によれば、釣り人が釣り竿を脇当て部材で脇の下に挟んだときに確実に脇の下に固定することができるので、釣り竿の周方向の回転を防止することができ、釣り人は安定して魚とやり取りすることができる。
【００２１】
本発明の釣り竿においては、前記腹当て部材は、前記脇当て部材を覆う重なり部を有することが好ましい。
【００２２】
この構成によれば、腹当て部材と脇当て部材との間に重なり部が有るので、腹当て部材と脇当て部材との間の接合部が強固になり、腹当て部材が竿尻部材から抜け落ちることを防止できる。また、腹当て部材が元竿本体に対して固着することを防止できる。その結果、腹当て部材の着脱を容易にすることができる。
【発明の効果】
【００２３】
本発明によれば、元竿本体における竿尻部材よりも先端側の領域に周設され、柔軟性材料で構成された脇当て部材を備えるので、対象魚が中物で腹当て部材を装着しない状態や、腹当て部材を外した状態で、釣り竿を脇の下に挟んでも脇の下が痛くならないで魚とやり取りすることができる。
【発明を実施するための最良の形態】
【００２４】
以下、本発明の実施の形態について添付図面を参照して詳細に説明する。
図１は、本発明の一実施の形態に係る釣り竿における元竿の概略構成を示す図である。図中１は、比較的大物と呼ばれる１０ｋｇ以上の魚や、比較的中物と呼ばれる５ｋｇ程度の魚を釣る際に使用する釣り竿の元竿を示す。元竿１の基端部の元竿本体上には、魚が掛かったときにユーザの腹に当てられる腹当て部材１１が取り付けられている。また、腹当て部材１１よりも先端側（前方）の領域には、魚が掛かったときにユーザの脇に挟まれる脇当て部材１２が腹当て部材１１に連設して設けられている。脇当て部材１２は、元竿本体の周面を覆うように周設されている。なお、本実施の形態では、腹当て部材１１と脇当て部材１２とが接して設けられているが、腹当て部材１１と脇当て部材１２との間に隙間を設けても良い。なお、元竿本体としては、中空材で構成しても良く、中実材で構成しても良い。
【００２５】
脇当て部材１２よりも先端側には、リアグリップ１３が設けられている。このリアグリップ１３の先端側の端部には、リール脚の後端部を固定する固定フード１４が設けられている。また、固定フード１４の先端側には、固定フード１４から所定の間隔をおいてリール脚の先端部を固定する移動フード１５が設けられている。移動フード１５には、締付ナット１６が取り付けられている。したがって、締付ナット１６を緩めて移動フード１５と固定フード１４との間隔を広げた状態でリール（図示せず）のリール脚をリールシート１７上に載せ、締付ナット１６で締め付けることにより、リール脚の先端部が移動フード１５により固定され、リール脚の後端部が固定フード１４により固定される。
【００２６】
移動フード１５よりも先端側は、ジョイントナット１９により竿が着脱可能になっており、その着脱可能な竿の基端部側にはフロントグリップ１８が設けられている。また、リアグリップ１３と脇当て部材１２との間の元竿本体上には、補強部材としてステンレス鋼や真鍮などの金属製のパイプ２０が装着されている。このパイプ２０上に、ロッドホルダーに竿を固定するためのクランプが取り付けられる。さらに、リアグリップ１３の基端部側には、ロッドホルダーからのライン係止用の尻手環２１が取り付けられている。
【００２７】
図２は、図１に示す釣り竿の一部断面を有する図である。腹当て部材１１及び脇当て部材１２は、図２に示すような断面構成を有する。腹当て部材１１は、元竿本体の基端部に取り付けられた竿尻部材であるギンバル２２上に被せられている。この断面構成について、図３から図５を用いて説明する。
【００２８】
図３は、本発明の一実施の形態に係る釣り竿の腹当て部材及び脇当て部材を説明するための拡大図である。図３に示すように、元竿本体２２の後端部２２ａには、ギンバル２３が被せられている。このギンバル２３は、アルミニウム、真鍮、鉄などの金属、又はＡＢＳ樹脂、ポリアミド樹脂などの硬質樹脂などで構成される。このギンバル２３の外径は、後端部に向って縮径するようになっており、ギンバル２３は後端部に向けて縮径するテーパ形状を有する。このようにギンバル２３がテーパ形状を有することにより、ギンバル２３に着脱可能に装着される腹当て部材１１の装着・離脱が容易となる。
【００２９】
ギンバル２３の先端側には、元竿本体２２の外周を覆うように脇当て部材１２が設けられている。図３においては、ギンバル２３と脇当て部材１２とが接して設けられているが、ギンバル２３と脇当て部材１２との間に間隔が設けられていても良い。脇当て部材１２は、例えばＥＶＡ（エチレン酢酸ビニル共重合体）、ゴム、コルクなどの柔軟性材料で構成されることが好ましい。具体的には、ＥＶＡとしては、硬度５０度〜８０度（ＳＲＩＳ（日本ゴム協会規格）０１０１のＣ型）のもの、ゴムとしては、硬度５０度〜８０度（ＪＩＳ  Ｋ６２５３デュロメータ硬さ試験タイプＥによる）のものなどを用いることが好ましい。また、コルクとしては、天然コルク、ハイカコルクなどを用いることが好ましい。
【００３０】
脇当て部材１２は、元竿本体２２の軸方向における長さＬ1が約２５ｍｍ〜約１００ｍｍの範囲内であることが好ましい。また、脇当て部材１２は、長さ方向における中央部１２ａが最も膨出しており、中央部１２ａから基端部側及び先端側に向ってそれぞれ縮径する形状を有することが好ましい。このような寸法や形状にすることにより、釣り人が釣り竿を脇の下に挟む場合に脇の下の幅内に脇当て部材が収まって挟み易くなり、釣り竿を挟んだ状態で釣り竿が前後に動き難く安定して魚とやり取りすることができる。また、脇当て部材１２の最も膨出している部分（ここでは中央部１２ａ）は、元竿本体に装着される固定フード１４の開口端から基端部側に約２２０ｍｍ〜約２６０ｍｍの範囲（図１におけるＡ領域）内に位置することが好ましい。これにより、釣り人が釣り竿の前記脇当て部材を脇の下に挟んだときに、リールを保持する手の位置が適当であり、安定して魚とやり取りすることができる。
【００３１】
脇当て部材１２の最大外径（本実施の形態においては中央部１２ａの外径）は、約２１ｍｍ〜約３７ｍｍであることが好ましい。なお、本実施の形態においては、長さＬ1は２５ｍｍであり、脇当て部材１２の基端部側からギンバル２３の後端部までの長さＬ2は５９ｍｍである。
【００３２】
脇当て部材１２は、横断面が略楕円形状である部分を少なくとも一つ有することが好ましい。このように、横断面、すなわち元竿本体２２の周方向において断面略楕円形状である部分を少なくとも一つ有することにより、釣り人が釣り竿を脇当て部材１２で脇の下に挟んだときに確実に脇の下に固定することができるので、釣り竿の周方向の回転を防止することができ、釣り人は安定して魚とやり取りすることができる。
【００３３】
図４（ａ）は、図３に示すギンバル２３に被せる腹当て部材１１を示す図であり、図４（ｂ）は、図３に示すギンバル２３に被せる蓋部材２５を示す図である。図４（ａ）に示す腹当て部材１１は、ギンバル２３を挿入するための開口部１１ａ及び釣り人の腹に当接する腹当て部１１ｂを有する。腹当て部材１１は、開口部１１ａ側から腹当て部１１ｂに向って拡径するような形状を有する。
【００３４】
腹当て部材１１の開口部１１ａ内には、内側にギンバル２３を収容できる収容領域を有するキャップ部材２４が取り付けられている。このキャップ部材２４は、腹当て部材１１の開口部１１ａの内周面に例えば接着により一体化されている。キャップ部材２４の収容領域内の径は、奥に向って（腹当て部１１ｂに向って）縮径するように設定されている。したがって、収容領域の内周面はテーパ形状を有する。これにより、ギンバル２３の形状と収容領域内の形状とが略一致するので、ギンバル２３に腹当て部材１１を簡単に装着することができる。しかもギンバル２３の外周及びキャップ部材２４の内周とが同じテーパ形状を有するので、ギンバル２３に対する腹当て部材１１の着脱が容易となる。
【００３５】
腹当て部材１１の最大外径（本実施の形態においては腹当て部１１ｂの外径）は、約６０ｍｍ〜約９０ｍｍ、特に約８０ｍｍであることが好ましい。このような寸法にすることにより、釣り人が腹当て部材１１を腹に当てたときに、釣り竿の角度が変わっても釣り竿を腹に当てた状態で魚とやり取りすることができる。また、腹当て部材１１は横断面が略円形状を有することが好ましい。さらに、腹当て部材１１は、腹当て部（後端部）１１ｂにおいて、平坦部又は凹部（内側に抉れている部分）を有することが好ましい。特に、腹当て部１１ｂに平坦部又は凹部を有することにより、釣り人が腹当て部１１ｂを腹に当てたときに、腹当て部１１ｂの周縁部１１ｄに圧力が分散されて釣り人の腹が痛まずに魚とやり取りを行うことが可能となる。なお、腹当て部１１ｂに凹部を形成する場合、その深さＤは約３ｍｍ〜１２ｍｍで、曲率Ｒは約３５ｍｍ〜１００ｍｍであることが好ましい。本実施の形態においては、深さＤは約４ｍｍでＲは５０ｍｍである。また、腹当て部材１１の長さＬ3は、約６５ｍｍ〜約１２０ｍｍ、特に約７５ｍｍであることが好ましい。
【００３６】
腹当て部材１１は、例えばＥＶＡ（エチレン酢酸ビニル共重合体）、ゴム、コルクなどの柔軟性材料で構成されることが好ましい。ＥＶＡ、ゴム、コルクの具体例は上述したものと同じである。また、キャップ部材２４は、ゴムや樹脂などで構成されていることが好ましい。
【００３７】
図４（ｂ）は、元竿の後端部を腹に当ててやり取りをしない比較的中物が掛かったときなどにギンバル２３に被せる蓋部材２５を示す図である。この蓋部材２５は、後端部２５ａで最も大きい外径を有する。この最大外径は、約３０ｍｍ〜約５０ｍｍ、特に約３８ｍｍであることが好ましい。また、蓋部材２５の長さＬ4は、ロッドホルダーに装着したときに障害にならないように腹当て部材１１の長さＬ3よりも短いことが好ましく、約４０ｍｍ〜約６０ｍｍ、特に約４７ｍｍであることが好ましい。蓋部材２５は、例えばゴムや樹脂などで構成されていることが好ましい。
【００３８】
図５は、ギンバル２３に腹当て部材１１を被せた状態を示す図である。上述したように、ギンバル２３の形状と腹当て部材１１の収容領域内の形状とが略一致するので、ギンバル２３に腹当て部材１１を簡単に装着することができる。図５においては、脇当て部材１２の後端部が腹当て部材１１（キャップ部材２４）の先端側の端部に当接しているが、腹当て部材１１又はキャップ部材２４の先端側の端部１１ｅが、脇当て部材１２を覆い（脇当て部材１２の斜面に腹当て部材１１又はキャップ部材２４の先内面が当接して）、重なり部を形成しても良い。このように重なり部を形成することにより、腹当て部材１１と脇当て部材１２との間の接合部が強固になり、腹当て部材１１がギンバル２３から抜け落ちることを防止できる。また、このような構成にすることにより、腹当て部材１１が元竿本体２２に対して固着することを防止できる。その結果、腹当て部材１１の着脱を容易にすることができる。
【００３９】
元竿本体２２において、脇当て部材１２よりも先端側の領域は、クランプが取り付けられる領域であるので、元竿本体２２の他の領域よりも厚肉にしておくことが好ましい。この場合、元竿本体２２に段差部２２ａが形成されるので、その段差部２２ａに脇当て部材１２の先端側を当接させるように、段差部２２ａを脇当て部材１２の位置決め基準としても良い。
【００４０】
上記構成を有する釣り竿を使用する場合、船で移動している間には、船の船べりに設けられている穴に竿を差し込む。このとき、腹当て部材１１をギンバル２３から取り外して、蓋部材２５を装着して、蓋部材２５から穴に挿入する。このように、腹当て部材１１から蓋部材２５に取り替えることにより、船の移動中に竿を船べりに設置することが可能となる。
【００４１】
船を停止させて、釣り人が当たりを待つ間は、ロッドホルダーに釣り竿をセットして待つ場合もあるが、釣り人が脇の下に釣り竿の後端部を挟んで待つ場合もある。この場合、対象としている魚が大物と想定されるときには、あらかじめギンバル２３から蓋部材２５を取り外して、腹当て部材１１を装着する。そして、釣り人は、釣り竿の後端部を脇の下に挟む。このとき、釣り竿の後端部には、柔軟性材料で構成された脇当て部材１２が設けられているので、釣り竿を挟んだときに脇の下全体が痛くない長さを確保することができ、釣り人は脇の下が痛くならない状態で魚とやり取りすることができる。
【００４２】
従来の腹当て部材を単に先端側に延ばした構造では、腹当て部材を装着しない状態や、腹当て部材を外した状態で、釣り竿を脇の下に挟むと元竿本体２２やギンバル２３を直接脇の下で挟むことになり脇の下が痛くなってしまう。本発明に係る釣り竿では、着脱可能な腹当て部材１１の他に脇当て部材１２を備えているので、対象魚が中物で腹当て部材を装着しない状態や、腹当て部材を外した状態でも脇の下が痛くならない。
【００４３】
次に、大物の魚が掛かった場合には、釣り人は腹当て部材１１の腹当て部１１ｂを腹に当て、その状態で魚とのやり取りを行う。このとき、ギンバル２３に蓋部材２５がセットされている場合やギンバル２３のみの状態である場合には、釣り人は、蓋部材２５と腹当て部材１１を交換し、又は腹当て部材１１をギンバル２３にセットしてから、腹当て部材１１の腹当て部１１ｂを腹に当て、その状態で魚とのやり取りを行う。また、釣り場によっては大物が掛かってくることが予測できる時などは、事前に腹当て部材１１を取り付けて有れば交換作業が省略できる。
【００４４】
一方、対象としている魚が中物である場合には、腹当て部材１１をギンバル２３にセットせずに、蓋部材２５をギンバル２３にセットする。そして、釣り人は、釣り竿の後端部を脇の下に挟む。このとき、釣り竿の後端部には、柔軟性材料で構成された脇当て部材１２が設けられているので、釣り竿を挟んだときに脇の下全体が痛くない状態で魚とやり取りすることができる。上記説明では、腹当て部材１１の代わりに蓋部材２５を装着した場合について説明しているが、単に腹当て部材１１を取り外して、蓋部材２５を装着しないで釣り竿を脇の下に挟んでも同じ効果が得られる。
【００４５】
腹当て部材１１は、図４（ａ）に示すように、腹当て部１１ｂに平坦部又は凹部を有しており、釣り人が腹当て部１１ｂを腹に当てたときに、腹に腹当て部１１ｂの前面が当接し、また、周縁部１１ｄの曲率Ｒを大きくしているので、腹当て部１１ｂの周縁部１１ｄに圧力が分散される。このため、釣り竿の角度が変わることにより、釣り竿の腹への当接角度が変わっても腹が痛まずに魚とやり取りを行うことが可能となる。なお、周縁部１１ｄの曲率Ｒは８ｍｍ〜１２ｍｍであることが好ましい。本実施の形態において、Ｒは８．５ｍｍである。
【００４６】
なお、対象の魚が超大物である場合には、腹当て部材１１をギンバル２３から外して、ギンバル２３をハーネスというトローリングで使用する、あらかじめ釣り人の体にセットしておいた皮製のホルダーに差し込んで、魚とやり取りを行う。
【００４７】
図６は、本発明の一実施の形態に係る釣り竿における他の元竿の概略構成を示す図である。図６において、図１と同じ部分については図１と同じ符号を付してその詳細な説明を省略する。図６に示す釣り竿は、腹当て部材１１の先端側の端部となだらかに繋がる形状を有する脇当て部材２６を備えている。
【００４８】
この脇当て部材２６は、先端側から基端部側に向って拡径している形状を有し、腹当て部材１１の先端側の端部となだらかに繋がっている。脇当て部材２６の基端部側の端部２６ａの外径は、腹当て部材１１の先端側の端部１１ｆの外径に対して少なくとも１０％の径差の範囲内になるように設定されることが好ましい。このような形状にすることにより、腹当て部材１１と脇当て部材２６との間の段差が小さくなるので、釣り人が釣り竿を脇の下に挟んだ際に違和感なく釣り竿を構えることができ、確実に釣り竿を保持することができる。また、腹当て部材１１をギンバル２３から外した状態でも、脇当て部材２６独自で脇当てグリップとして機能する。この場合、脇当て部材２６が基端部側に拡径していることにより、釣り竿の先端側への移動を防止できる。
【００４９】
本発明は上記実施の形態に限定されず、種々変更して実施することが可能である。例えば、上記実施の形態で説明した数値や材質については特に制限はなく、本発明の目的の範囲を逸脱しない限りにおいて適宜変更することが可能である。また、本実施の形態においては、両軸リールを主体としたリールを上向きに使う形態を主に説明しているが、本発明はスピニングリールのようなリールを下向きに使う形態の場合にも同様に適用することができる。
【図面の簡単な説明】
【００５０】
【図１】本発明の一実施の形態に係る釣り竿における元竿の概略構成を示す図である。
【図２】図１に示す釣り竿の一部断面を有する図である。
【図３】本発明の一実施の形態に係る釣り竿の腹当て部材及び脇当て部材を説明するための拡大図である。
【図４】（ａ）は、図３に示すギンバルに被せる腹当て部材を示す図であり、（ｂ）は、図３に示すギンバルに被せる蓋部材を示す図である。
【図５】図３に示すギンバルに図４（ａ）に示す腹当て部材を被せた状態を示す図である。
【図６】本発明の一実施の形態に係る釣り竿における他の元竿の概略構成を示す図である。
【符号の説明】
【００５１】
１  元竿
１１  腹当て部材
１２，２６  脇当て部材
１３  リアグリップ
１４  固定フード
１５  移動フード
１６  締付ナット
１７  リールシート
１８  フロントグリップ
１９  ジョイントナット
２０  パイプ
２１  尻手環
２２  元竿本体
２３  ギンバル
２４  キャップ部材
２５  蓋部材
【図１】
2006034198.tif 000003
【図２】
2006034198.tif 000004
【図３】
2006034198.tif 000005
【図４】
2006034198.tif 000006
【図５】
2006034198.tif 000007
【図６】
2006034198.tif 000008